(57)【要約】【課題】  インターネットに対して有線接続することが困難な環境で用いることのできるセットトップボックスを提供する。【解決手段】ユーザが入力部１３を操作することにより、インターネットＮＷを介して接続して所望のサーバにアクセスするためのＵＲＬアドレスが入力される。次に、携帯データ通信網接続部１１から、アンテナ１１ａを介して携帯データ通信網ＭＷの無線基地局３０に無線接続され、インターネット網ＮＷに接続される。入力されたＵＲＬアドレスに基づいて、携帯データ通信網ＭＷを介してインターネット網ＮＷにアクセスされ、当該アドレスのホームページ情報が受信される。受信されたホームページ情報は表示変換部１４により変換され、テレビ装置２０に表示するためのホームページ画面ｈが作成される。ホームページ画面ｈは、テレビ装置２０に表示される。【選択図】図１
2006270624.tif 000002
【特許請求の範囲】
【請求項１】
インターネットにアクセスして該インターネット上の所望のサーバからホームページ情報を受信し、受信した前記ホームページ情報をテレビ装置へ送出してホームページ画面を表示させる通信端末装置であって、
移動通信回線に無線接続して前記インターネットにアクセスし、該インターネット上の前記サーバから該移動通信回線を介して前記ホームページ情報を受信するホームページ情報受信手段が設けられていることを特徴とする通信端末装置。
【請求項２】
前記ホームページ情報受信手段は、
当該通信端末装置を前記移動通信回線に無線接続する移動通信回線接続手段と、
前記移動通信回線を介して前記インターネットにアクセスするアクセス手段と、
前記所望のサーバにアクセスするためのインターネットアドレスを入力する入力手段と、
前記サーバから前記移動通信回線を介して前記ホームページ情報を受信し、該ホームページ情報を変換して前記テレビ装置に前記ホームページ画面を表示させる表示変換装置とを備えてなることを特徴とする請求項１記載の通信端末装置。
【請求項３】
テレビ電波を受信してテレビ画面情報を出力するテレビチューナと、
該テレビチューナから出力される前記テレビ画面情報に対応するテレビ画面及び前記表示変換装置から出力される前記ホームページ画面を合成、又は一方を選択して前記テレビ装置へ送出して表示させる映像出力装置とが設けられていることを特徴とする請求項２記載の通信端末装置。
【請求項４】
前記移動通信回線は、
前記ホームページ情報受信手段が無線接続するための無線基地局を有していることを特徴とする請求項１、２又は３記載の通信端末装置。
【請求項５】
インターネットにアクセスして該インターネット上の所望のサーバからホームページ情報を受信し、受信した前記ホームページ情報をテレビ装置へ送出してホームページ画面を表示させる通信端末装置に用いられ、
移動通信回線に無線接続して前記インターネットにアクセスし、該インターネット上の前記サーバから該移動通信回線を介して前記ホームページ情報を受信することを特徴とする通信回線接続方法。
【請求項６】
前記所望のサーバにアクセスするためのインターネットアドレスを入力する入力処理と、
当該通信端末装置を前記移動通信回線に無線接続する移動通信回線接続処理と、
前記移動通信回線を介して前記インターネットにアクセスするアクセス処理と、
前記サーバから前記移動通信回線を介して前記ホームページ情報を受信し、該ホームページ情報を変換して前記テレビ装置に前記ホームページ画面を表示させる変換処理とを行うことを特徴とする請求項５記載の通信回線接続方法。
【請求項７】
コンピュータに請求項１乃至４のうちのいずれか一に記載の通信端末装置を制御させるための通信回線接続制御プログラム。
【発明の詳細な説明】
【技術分野】
【０００１】
この発明は、通信端末装置、該通信端末装置に用いられる通信回線接続方法及び通信回線接続制御プログラムに係り、特に、インターネット上のサーバからホームページ情報を受信してテレビ装置に表示させるセットトップボックスとして用いて好適な通信端末装置、該通信端末装置に用いられる通信回線接続方法及び通信回線接続制御プログラムに関する。
【背景技術】
【０００２】
セットトップボックスは、一般家庭のテレビ装置に接続され、インターネットなどを介して様々なマルチメディアサービスを受けて同テレビ装置に表示させるための通信端末装置であるが、従来では、ケーブルテレビ網に接続するもの、固定電話回線網にＡＤＳＬ（Asymmetric Digital Subscriber Line）接続してインターネットに有線接続するものなどがある。また、セットトップボックスには、ＡＤＳＬ回線に接続されたパソコン（パーソナルコンピュータ）に表示されたホームページ画面を、テレビ装置に表示するものもある。
【０００３】
この種のセットトップボックスは、従来では、たとえば図４に示すような環境で用いられている。
すなわち、固定電話回線網に接続されている電話端子１にモデム２が接続されている。モデム２にはホームゲートウェイ（ＨＧＷ）３が接続され、同ＨＧＷ３には、電話機４、パソコン５、及び接続用ケーブルＣを介してセットトップボックス６が接続されている。セットトップボックス６には、テレビ装置７が接続されている。この環境では、インターネット上のサーバからのホームページ情報が、電話端子１を経てモデム２で復調され、ＨＧＷ３でセットトップボックス６に対応したプロトコルに変換され、同セットトップボックス６からテレビ装置７へ送出されてホームページ画面が表示される。
【０００４】
上記のセットトップボックスの他、従来、この種の技術としては、たとえば、次のような文献に記載されるものがあった。
特許文献１に記載された情報出力システムでは、端末装置からＩＳＰ（Internet Service Provider 、インターネットサービスプロバイダ）に有線接続し、インターネットを介してサーバにコンテンツのデータ信号を要求する。端末装置は、同データ信号を、テレビ装置に応じた表示サイズや表示色などのデータ信号に変換する。この変換後のデータ信号に基づいて生成された映像信号がテレビ装置に供給される。
【０００５】
特許文献２に記載された多機能通信端末装置では、公衆回線（固定電話回線網）を通じてインターネットサーバと接続され、ホームページアドレス指示手段によりホームページアドレスが指示される。ホームページアドレス指示手段により指示された情報に基づいて、制御手段により、ホームページアドレスのホームページ情報が取得される。取得されたホームページ情報は、画像変換手段により画像情報に変換される。画像情報は、画像表示手段で表示される。
【特許文献１】特開２００１−１４７８７６号公報（要約書、図１）
【特許文献２】特開２００４−１９３９８２号公報（要約書、図１）
【発明の開示】
【発明が解決しようとする課題】
【０００６】
しかしながら、上記従来の通信端末装置では、次のような問題点があった。
すなわち、図４中のセットトップボックス６では、ＨＧＷ３から同セットトップボックス６までの接続用ケーブルＣを設ける必要があるため、テレビ装置７が設置されている場所によっては、同接続用ケーブルＣが長くなり、煩雑になるという問題点がある他、ユーザが固定電話回線網を引いていない場合では、使用できないという問題点がある。また、携帯データ通信網（移動通信回線）を利用するには、携帯電話機をパソコンに接続するか、携帯データ通信カードをパソコンに挿入し、同パソコン経由でテレビ画面に画面を表示させることになり、煩雑になるという問題点がある。
【０００７】
また、特許文献１に記載された情報出力システムでは、端末装置からＩＳＰへの接続が有線であるため、上記の問題点は改善されない。
【０００８】
また、特許文献２に記載された多機能通信端末装置は、公衆回線を通じてインターネットサーバと接続されるものであり、この接続が有線であるため、特許文献１と同様に、上記の問題点は改善されない。
【０００９】
この発明は、上述の事情に鑑みてなされたもので、ＨＧＷからセットトップボックスまでの接続用ケーブルを長くすることなく、また、固定電話回線網を引いていない場合でも使用でき、パソコンを用いなくても、ホームページ画面が得られる通信端末装置を提供することを目的としている。
【課題を解決するための手段】
【００１０】
上記課題を解決するために、請求項１記載の発明は、インターネットにアクセスして該インターネット上の所望のサーバからホームページ情報を受信し、受信した前記ホームページ情報をテレビ装置へ送出してホームページ画面を表示させる通信端末装置に係り、移動通信回線に無線接続して前記インターネットにアクセスし、該インターネット上の前記サーバから該移動通信回線を介して前記ホームページ情報を受信するホームページ情報受信手段が設けられていることを特徴としている。
【００１１】
請求項２記載の発明は、請求項１記載の通信端末装置に係り、前記ホームページ情報受信手段は、当該通信端末装置を前記移動通信回線に無線接続する移動通信回線接続手段と、前記移動通信回線を介して前記インターネットにアクセスするアクセス手段と、前記所望のサーバにアクセスするためのインターネットアドレスを入力する入力手段と、前記サーバから前記移動通信回線を介して前記ホームページ情報を受信し、該ホームページ情報を変換して前記テレビ装置に前記ホームページ画面を表示させる表示変換装置とを備えてなることを特徴としている。
【００１２】
請求項３記載の発明は、請求項２記載の通信端末装置に係り、テレビ電波を受信してテレビ画面情報を出力するテレビチューナと、該テレビチューナから出力される前記テレビ画面情報に対応するテレビ画面及び前記表示変換装置から出力される前記ホームページ画面を合成、又は一方を選択して前記テレビ装置へ送出して表示させる映像出力装置とが設けられていることを特徴としている。
【００１３】
請求項４記載の発明は、請求項１、２又は３記載の通信端末装置に係り、前記移動通信回線は、前記ホームページ情報受信手段が無線接続するための無線基地局を有していることを特徴としている。
【００１４】
請求項５記載の発明は、通信回線接続方法に係り、インターネットにアクセスして該インターネット上の所望のサーバからホームページ情報を受信し、受信した前記ホームページ情報をテレビ装置へ送出してホームページ画面を表示させる通信端末装置に用いられ、移動通信回線に無線接続して前記インターネットにアクセスし、該インターネット上の前記サーバから該移動通信回線を介して前記ホームページ情報を受信することを特徴としている。
【００１５】
請求項６記載の発明は、請求項５記載の通信回線接続方法に係り、前記所望のサーバにアクセスするためのインターネットアドレスを入力する入力処理と、当該通信端末装置を前記移動通信回線に無線接続する移動通信回線接続処理と、前記移動通信回線を介して前記インターネットにアクセスするアクセス処理と、前記サーバから前記移動通信回線を介して前記ホームページ情報を受信し、該ホームページ情報を変換して前記テレビ装置に前記ホームページ画面を表示させる変換処理とを行うことを特徴としている。
【００１６】
請求項７記載の発明は、通信回線接続制御プログラムに係り、コンピュータに請求項１乃至４のうちのいずれか一に記載の通信端末装置を制御させることを特徴としている。
【発明の効果】
【００１７】
この発明の構成によれば、通信端末装置が、移動通信回線に無線接続されてインターネットにアクセスし、同インターネット上の所望のサーバから同移動通信回線を介してホームページ情報を受信し、受信したホームページ情報をテレビ装置へ送出してホームページ画面を表示させるので、インターネットに有線接続するための接続用ケーブルを不要にでき、また、固定電話回線網やパソコンがない場合でも、ホームページ画面を得ることができる。テレビチューナ及び映像出力装置が設けられているので、テレビ画面及びホームページ画面を同時に得ることができる。
【発明を実施するための最良の形態】
【００１８】
携帯電話機の通信に用いられている移動通信回線に無線接続してインターネットにアクセスすることにより、ホームページ情報を受信する通信端末装置を提供する。
【実施例１】
【００１９】
図１は、この発明の第１の実施例である通信端末装置の要部の電気的構成及び同通信端末装置が用いられる環境を示す図である。
この例の通信端末装置は、同図に示すように、セットトップボックス１０であり、ＣＰＵ（中央処理装置）１０ａと、ＲＯＭ（リード・オンリ・メモリ）１０ｂと、携帯データ通信網接続部１１と、インターネットアクセス部１２と、入力部１３と、表示変換部１４とから構成されている。また、セットトップボックス１０には、一般家庭用のテレビ装置２０が接続されている。セットトップボックス１０は、携帯データ通信網ＭＷの無線基地局３０に無線接続されるようになっている。携帯データ通信網ＭＷは、無線基地局３０の他、図示しない複数の無線基地局、移動通信制御局、在圏移動通信交換局、関門移動通信交換局、及び通常の電話回線などから構成され、インターネット網ＮＷに有線接続されている。
【００２０】
ＣＰＵ（中央処理装置）１０ａは、セットトップボックス１０全体を制御する。ＲＯＭ１０ｂは、ＣＰＵ１０ａを動作させるための通信回線接続制御プログラムが記録されている。携帯データ通信網接続部１１は、携帯データ通信網ＭＷの無線基地局３０に無線接続し、アンテナ１１ａを介して同無線基地局３０との間で無線電波Ｗを送受信する。インターネットアクセス部１２は、携帯データ通信網ＭＷを介してインターネット網ＮＷにアクセスする。入力部１３は、たとえばキースイッチなどで構成され、ユーザの操作により、セットトップボックス１０を携帯データ通信網ＭＷを介してインターネット網ＮＷに接続し、所望のサーバにアクセスするためのするためのＵＲＬ（Uniform Resource Locator）アドレスなどを入力する。
【００２１】
表示変換部１４は、上記サーバから携帯データ通信網ＭＷを介してホームページ情報を受信し、同ホームページ情報を変換してテレビ装置２０にホームページ画面ｈを表示させる。これらのＣＰＵ１０ａ、ＲＯＭ１０ｂ、携帯データ通信網接続部１１、インターネットアクセス部１２、入力部１３、及び表示変換部１４により、携帯データ通信網ＭＷに無線接続してインターネット網ＮＷにアクセスし、同インターネット網ＮＷ上のサーバから同携帯データ通信網ＭＷを介してホームページ情報を受信するホームページ情報受信手段が構成されている。
【００２２】
図２は、図１のセットトップボックス１０の動作を説明するフローチャートである。
これらの図を参照して、この例のセットトップボックス１０に用いられる通信回線接続方法の処理内容について説明する。
このセットトップボックス１０では、携帯データ通信網ＭＷに無線接続されてインターネットＮＷにアクセスされ、同インターネットＮＷ上のサーバから同携帯データ通信網ＭＷを介してホームページ情報が受信される。受信されたホームページ情報は、テレビ装置２０へ送出されてホームページ画面が表示される。
【００２３】
すなわち、ユーザが入力部１３を操作することにより、インターネットＮＷを介して接続して所望のサーバにアクセスするためのＵＲＬアドレス（インターネットアドレス）が入力される（ステップＡ１、入力処理）。次に、携帯データ通信網接続部１１から、アンテナ１１ａを介して携帯データ通信網ＭＷの無線基地局３０に無線接続され、インターネット網ＮＷに接続される（ステップＡ２、移動通信回線接続処理）。入力されたＵＲＬアドレスに基づいて、携帯データ通信網ＭＷを介してインターネット網ＮＷにアクセスされ（ステップＡ３、アクセス処理）、当該アドレスのホームページ情報（表示データ）が受信される。受信されたホームページ情報（表示データ）は表示変換部１４により変換され、テレビ装置２０に表示するためのホームページ画面ｈが作成される（ステップＡ４、変換処理）。同ホームページ画面ｈは、テレビ装置２０に表示される（ステップＡ５）。
【００２４】
以上のように、この第１の実施例では、セットトップボックス１０が、携帯データ通信網ＭＷに無線接続されてインターネットＮＷにアクセスし、同インターネットＮＷ上のサーバから同携帯データ通信網ＭＷを介してホームページ情報を受信し、受信したホームページ情報をテレビ装置２０へ送出してホームページ画面ｈを表示させるので、ＨＧＷに対する接続用ケーブルが不要となり、また、固定電話回線網やパソコンがない場合でも、ホームページ画面が得られる。
【実施例２】
【００２５】
図３は、この発明の第２の実施例である通信端末装置の要部の電気的構成及び同通信端末装置が用いられる環境を示す図であり、第１の実施例を示す図１中の要素と共通の要素には共通の符号が付されている。
この例の通信端末装置は、同図３に示すように、セットトップボックス１０Ａであり、テレビチューナ１５、及び映像出力装置１６が設けられている。テレビチューナ１５は、アンテナ１５ａによりテレビ電波を受信してテレビ画面情報ｖを出力する。映像出力装置１６は、テレビチューナ１５から出力されるテレビ画面情報ｖに対応するテレビ画面、及び表示変換部１４から出力されるホームページ画面ｈを合成、又は一方を選択してテレビ装置２０へ送出して表示させる。他は、図１と同様の構成である。
【００２６】
このセットトップボックス１０Ａでは、テレビチューナ１５及び映像出力装置１６が設けられているので、第１の実施例の利点に加え、テレビ画面及びホームページ画面が同時に得られる。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、テレビ装置２０にホームページ画面ｈを表示させるとき、同時に、同ホームページ画面ｈに対応する音声を出力するようにしても良い。また、上記実施例では、ユーザが入力部１３を操作することにより、セットトップボックス１０がインターネット網ＮＷに接続されるようになっているが、一度接続した後、常時接続しておくようにしても良い。また、インターネット網ＮＷ上のサーバからホームページ情報を受信するためのキーワードを入力してテーブルに保有し、同テーブルに基づいて自動的にインターネット網ＮＷを検索してホームページ情報を受信するようにしても良い。
【産業上の利用可能性】
【００２８】
この発明は、たとえば、接続用ケーブルを延長しにくい場所など、インターネットに有線接続することが困難な環境で用いられる通信端末装置全般に適用できる。
【図面の簡単な説明】
【００２９】
【図１】この発明の第１の実施例である通信端末装置の要部の電気的構成及び同通信端末装置が用いられる環境を示す図である。
【図２】図１の通信端末装置の動作を説明するフローチャートである。
【図３】この発明の第２の実施例である通信端末装置の要部の電気的構成及び同通信端末装置が用いられる環境を示す図である。
【図４】従来のセットトップボックスが用いられる環境を示す図である。
【符号の説明】
【００３０】
１０，１０Ａ      セットトップボックス（通信端末装置）
１０ａ      ＣＰＵ（中央処理装置）（ホームページ情報受信手段の一部）
１０ｂ      ＲＯＭ（リード・オンリ・メモリ）（ホームページ情報受信手段の一部）
１１      携帯データ通信網接続部（ホームページ情報受信手段の一部、移動通信回線接続手段）
１２      インターネットアクセス部（ホームページ情報受信手段の一部、アクセス手段）
１３      入力部（ホームページ情報受信手段の一部、入力手段、表示変換装置）
１４      表示変換部（ホームページ情報受信手段の一部）
１５      テレビチューナ
１６      映像出力装置
２０      テレビ装置
３０      無線基地局（移動通信回線の一部）
ＭＷ      携帯データ通信網（移動通信回線）
ＮＷ      インターネット網（インターネット）
【図１】
2006270624.tif 000003
【図２】
2006270624.tif 000004
【図３】
2006270624.tif 000005
【図４】
2006270624.tif 000006